(57)【要約】【課題】  本発明は、床パネルが確実に支持でき、しかも床の断熱材の施工も容易に行い得る床の断熱構造を提供することを目的とする。【解決手段】  ＡＬＣ等のコンクリート系材料からなる床パネル３の支持辺を、中空部材または発泡部材からなり床パネル３よりも高い断熱性を有する床パネル受け材４を介して床支持梁である布基礎１や鉄骨梁２にて支持するとともに、フェノールフォームからなり板状に成形された床断熱材５を、その端部を支持することによって床パネル受け材４に連続するように床パネル３の下面に沿って配置して床断熱層を形成した。【選択図】      図１
2010007302.tif 000002
【特許請求の範囲】
【請求項１】
コンクリート系材料からなる床パネルの支持辺を、中空部材または発泡部材からなり該床パネルよりも高い断熱性を有する床パネル受け材を介して床支持梁にて支持するとともに、板状に成形された床断熱材を、その端部を支持することによって前記床パネル受け材に連続するように前記床パネル下面に沿って配置して床断熱層を形成したことを特徴とする床の断熱構造。
【請求項２】
前記床パネル受け材を載置した前記床支持梁の上面の端縁部に前記床断熱材の端縁部を支持する為の床断熱材支持面を確保し、前記床断熱材を支持したことを特徴とする請求項１に記載した床の断熱構造。
【請求項３】
前記床断熱材は、吸湿性を有しない材料からなることを特徴とする請求項１または２に記載した床の断熱構造。
【請求項４】
前記床断熱層を、外壁の内面側に沿って形成した壁断熱材と連続させたことを特徴とする請求項１乃至３に記載した床の断熱構造。 
【発明の詳細な説明】
【技術分野】
【０００１】
本発明は、外気に接する建物の床を簡易且つ効果的に断熱する床の断熱構造に関するものである。
【背景技術】
【０００２】
住宅等の建物では、従来より、１階の床下に湿気がこもらないようにする為、基礎に換気口を設けて空気が流通するように構成するのが一般的である。このような構成の場合、冬期には冷たい外気が、また夏期には温かい外気が床下に流入して室内の冷暖房効率が低下する為、１階の床面に断熱層を設けることが行われてきた。
【０００３】
特に、１階の床がＡＬＣ（軽量気泡コンクリート）等コンクリート系の床パネルで構成される建物においては、施工性を優先して床パネルの上面に断熱材を敷設するのが一般的であった。その為、床パネルは断熱層の外側に位置することになり、その熱容量は室内の温熱環境の調整に寄与することがなく、エネルギーロスが増える傾向があった。また、断熱材は圧縮強度がＡＬＣ等の床パネルに比べて小さいので、床面に作用する荷重に対する配慮が必要であった。
【０００４】
特許文献１には、床パネルをゴム等の弾性体、バネ材等からなる緩衝部材で支持し、下面にロックウール、グラスウール等の吸音材、保温材としての圧縮性材料を配置する技術が開示されている。
【０００５】
【特許文献１】特開平９−２８７２２８号公報
【発明の開示】
【発明が解決しようとする課題】
【０００６】
しかし、剛性の乏しい圧縮性材料を支持するためには床パネルに対応した大きさの金属板を必要とするので、コストや施工の手間がかさむという問題があった。また、緩衝部材は弾性を有する材料で構成されているので、作用する荷重の状態によって床パネルのレベルが変化し平坦な床面を構成しにくいという問題もあった。
【０００７】
本発明は、上記従来技術の課題を解決し、床パネルが確実に支持でき、しかも床の断熱材の施工も容易に行い得る床の断熱構造を提供することを目的とするものである。
【課題を解決するための手段】
【０００８】
上記従来技術の課題を解決する為の本発明に係る床の断熱構造の第１の構成は、コンクリート系材料からなる床パネルの支持辺を、中空部材または発泡部材からなり該床パネルよりも高い断熱性を有する床パネル受け材を介して床支持梁にて支持するとともに、板状に成形された床断熱材を、その端部を支持することによって前記床パネル受け材に連続するように前記床パネル下面に沿って配置して床断熱層を形成したことを特徴とする。
【０００９】
本発明に係る床の断熱構造の第２の構成は、第１の構成において、前記床パネル受け材を載置した前記床支持梁の上面の端縁部に前記床断熱材の端縁部を支持する為の床断熱材支持面を確保し、前記床断熱材を支持したことを特徴とする。
【００１０】
本発明に係る床の断熱構造の第３の構成は、第１または第２の構成において、前記床断熱材が、吸湿性を有しない材料からなることを特徴とする。
【００１１】
本発明に係る床の断熱構造の第４の構成は、第１乃至は第３の構成において、前記床断熱層を、外壁の内面側に沿って形成した壁断熱材と連続させたことを特徴とする。
【発明の効果】
【００１２】
本発明に係る床の断熱構造の第１の構成によれば、中空部材または発泡部材からなり床パネルよりも高い断熱性を有する床パネル受け材と床断熱材とを、コンクリート系材料からなり床支持梁で支持された床パネルの下面に沿って連続的に配置して床断熱層を形成したので、床パネルの有する熱容量を蓄熱に活用することができ、室内の空調の効果を持続させることができる。また、板状に成形された床断熱材を用いているので、床断熱材の端部を支持するように構成するだけで床パネルの位置を保持することができ、床断熱材の施工を簡易に行うことができる。
【００１３】
本発明に係る床の断熱構造の第２の構成によれば、床支持梁上面端縁部に床断熱材支持面を確保したので、専用部材を付加することなく床断熱材を容易に支持することができる。
【００１４】
本発明に係る床の断熱構造の第３の構成によれば、床断熱材を吸湿性を有しない材料で構成したので、地盤面に近く湿気の多い床下空間であっても断熱性能が低下する虞がない。
【００１５】
本発明に係る床の断熱構造の第４の構成によれば、床断熱層を壁断熱材と連続させたので建物の断熱性能をより高めることができる。
【発明を実施するための最良の形態】
【００１６】
以下、本発明に係る床の断熱構造の最良の実施形態について説明する。まず、床の断熱構造を構成する各要素について説明する。
【００１７】
コンクリート系材料からなる床パネルは、建物の床を構成するパネル状の部材であり、構造用合板等木質部材で構成された床に比べて大きな熱容量を有するＡＬＣ、ＰＣ（プレキャストコンクリート）等からなり、端縁部を支持することで上面に作用する積載荷重に対抗することが可能な強度を有するものである。
【００１８】
床パネル受け材は、床パネルの支持辺に位置する床支持梁の上面に載置され、その上面に床パネルを載置し支持するとともに、床断熱材とともに床断熱層を構成する部材である。床の固定荷重や床面に作用する積載荷重に対して長期にわたって変形や破壊が生じない剛性、強度、耐久性、及び所定の断熱性を必要とし、剛性と断熱性とを両立させる為に中空部材または発泡部材とする。上下の面を床パネル下面及び床支持梁上面と当接させて荷重を伝達させ、側面は断熱材と連続させ床断熱層を形成するので、外形は矩形とするのが好ましい。このような条件を満たす材料としては、硬質塩化ビニール等の硬質の合成樹脂、あるいは、コンクリート、セラミック等の窯業系材料があげられる。床パネル受け材は、床パネルの支持辺の全長にわたって配置する必要はなく、剛性、強度、耐久性等に問題がなければ部分的であってもよい。なお、位置のずれが生じないように両面テープ等で床支持梁への固定がなされるのが好ましい。また、床パネルの支持辺に位置しない床支持梁の上面には不要であり、この場合床パネル下面と床支持梁上面との間の空隙には、床断熱材を介挿し断熱層に欠損部が生じないようにするのが好ましい。
【００１９】
床支持梁は、建物の基礎や軸組を構成する梁のうち、床パネル受け材を介して床パネルを支持する梁である。ＲＣ造の基礎梁（布基礎）、Ｈ形鋼等の鉄骨からなる梁等、上面がフラットで床パネル受け材を載置し得るものであればよい。床支持梁の上面の幅は、床パネル受け材とともに床断熱材を載置し得るだけの寸法を確保するのが好ましい。
【００２０】
床断熱材は、端縁辺を支持することで床パネル下面に沿って配置された板状に成形された断熱材である。床断熱材は、床パネル受け材とともに床断熱層を構成する部材であり、床パネル下面のうち、床パネル受け材と接触していない部分に全面的に接触するように配置される。床断熱材は、端縁辺を支持するのみで撓みが生じることのない剛性を有することが必須であり、床下の湿気を吸収して寸法や形状が変化したり、断熱性能や剛性が低下したりすることのない材質で構成されるのが好ましい。このような条件を満たす断熱材としては、フェノールフォーム、ポリエチレンフォーム、ポリスチレンフォーム等がある。
【００２１】
また、床断熱材は、床パネル下面と基礎上面との間で床パネル受け材の配置されない部分に床断熱材を延長し介挿する場合の厚み調整を不要とするために、床パネル受け材と同一の厚みとすることが好ましい。また、床支持梁にて支持するのが合理的で好ましいが、別途支持部材を付加してもよい。
【００２２】
壁断熱材は、建物の外周部に設けられた外壁の内面に沿って設置される断熱材である。床断熱材や床パネル受け材との連続性が保たれるものであれば、材質や形状等は問われないが、床断熱材と同様に、フェノールフォーム、ポリエチレンフォーム、ポリスチレンフォーム等、パネル状に成形された断熱材が施工性がよく好ましい。
【実施例】
【００２３】
続いて、具体的な実施例について図を参照して説明する。本実施例は、工業化住宅であって、鉄骨柱・梁で構成された軸組とＡＬＣパネルからなる外壁及び床により躯体が構成された建物における１階床の断熱構造であり、図１は基礎の平面的配置を示す図、図２はＡ−Ａ位置の矢視図、図３はＢ−Ｂ位置の矢視図、図４はＣ位置の斜視図である。
【００２４】
本建物の基礎は、ＲＣ造で逆Ｔ字状の断面を有する床支持梁である布基礎１で構成されている。布基礎１の上端部には、床下の空間に外気を流通させることを目的として、凹状のコンクリート欠損部を設けることで適宜換気孔１ａが形成されている。隣り合う布基礎１の間には適宜床支持梁でありＨ形鋼からなる鉄骨梁２が掛け渡されアンカーボルト９にて固定されている。鉄骨梁２は、隣り合う布基礎１の間隔が後述する床パネルの長さを超える場合等に掛け渡され床パネルを支持するものである。
【００２５】
１階の床は、ＡＬＣからなる床パネル３で構成されている。床パネル３の内部には引張力に抵抗する補強鉄筋が長手方向に配置されており、４辺のうち少なくとも支持辺である短辺２辺が布基礎１あるいは鉄骨梁２で支持されるように割り付けられている。床パネル３は床支持梁である布基礎１あるいは鉄骨梁２の上面に載置された床パネル受材４にて短辺２辺が支持されている。
【００２６】
床パネル受け材４は、圧縮強度と断熱性能を併せ持つ硬質塩化ビニールからなる断面が「日」字状の中空の部材であり、布基礎１あるいは鉄骨梁２の上面に両面テープで貼着されている。布基礎１あるいは鉄骨梁２の上面は、床パネル受け材４を載置した状態であっても後述する床断熱材５が支持可能となる幅を有している。
【００２７】
床パネル３の下面のうち、床パネル受け材４と接触していない面には、床断熱材５がほぼ隙間なく接触している。床断熱材５は、フェノールフォームをパネル状に成形したもの（商品名：ネオマフォーム、旭化成建材株式会社製）であり、端縁部を支持することで撓むことなく水平に保たれている。床断熱材５は、布基礎１あるいは鉄骨梁２の上面もしくは、布基礎１あるいは鉄骨梁２に掛け渡された逆Ｔ字断面の受け桟８にて支持されている。床断熱材５の厚さは床パネル受け材４の高さと等しくなるように設定されており、床パネル受け材４の高さによって規定される布基礎１あるいは鉄骨梁２と床パネル３の下面との間の間隙に介挿可能となっている。また、鉄骨梁２の基礎梁１への固定部等、段差や突起がある部分についても適宜加工された床断熱材５が充填される。
【００２８】
これらの床パネル受け材４と床断熱材５とを床パネル３の下面に沿って連続的に配置することによって床断熱層が構成されている。
【００２９】
外壁はＡＬＣからなる壁パネル６で構成されており、建物外周部の布基礎１の上面に載置されてアンカーボルト９で固定された受け金物10によって位置決めされるとともに固定がなされている。壁パネル６の内面に沿ってフェノールフォームをパネル状に成形した壁断熱材７（商品名：ネオマフォーム、旭化成建材株式会社製）が配置されている。壁断熱材７の下端面は床断熱材５の下面まで達するとともに、下端部の内面側が床断熱層を構成する床断熱材５もしくは床パネル受け材４の側端面に当接するように設置され、床断熱層と連続するように構成されている。
【００３０】
上記の通り、ＡＬＣからなる床パネル３の下面に沿って、硬質塩化ビニール製の中空部材である床パネル受け材４とフェノールフォームからなる床断熱材５とで床断熱層を形成したので、床パネル３を蓄熱層として有効に活用することができ、室内の空調の効果を持続させることができる。また、床断熱材５をパネル状に成形されたフェノールフォームで構成したので、端縁辺のみで支持可能であり、支持部の構成を単純にすることができる。また、フェノールフォームは湿気によって寸法、形状の変化や性能の低下が生じないので、地盤面に近く湿気の多い１階床に配置しても初期の性能を長期間維持することができる。更に、床断熱材５をフェノールフォームからなる壁断熱材７と連続するように構成したので、建物Ａの断熱性能を更に向上させることができる。
【産業上の利用可能性】
【００３１】
本発明は、床下空間に外気が流入する１階の床に限らず、１階に外部空間であるピロティが形成された建物における２階床にも適用することが可能である。また、床下に外気が流入する床に限らず、ある階層の室内空間に求められる温熱環境とその下階の温熱環境とが著しく異なる建物において下階の温熱環境の影響を減じる場合にも効果的に適用することが可能である。
【図面の簡単な説明】
【００３２】
【図１】基礎の平面的配置を示す図である。
【図２】Ａ−Ａ位置の矢視図である。
【図３】Ｂ−Ｂ位置の矢視図である。
【図４】Ｃ位置の斜視図である。
【符号の説明】
【００３３】
１…布基礎（床支持梁）
１ａ…換気孔
２…鉄骨梁（床支持梁）
３…床パネル
４…（床断熱層を構成する）床パネル受け材
５…（床断熱層を構成する）床断熱材
６…壁パネル
７…壁断熱材
８…受け桟
９…アンカーボルト
１０…受け金物
【図１】
2010007302.tif 000003
【図２】
2010007302.tif 000004
【図３】
2010007302.tif 000005
【図４】
2010007302.tif 000006